(57)【特許請求の範囲】
【請求項１】
コンクリート体の内部に埋設された非接触通信媒体と、該非接触通信媒体に記録された情報を読み取るか又は該非接触通信媒体に情報を記録させるリーダ／ライタとの間に配置され、
該非接触通信媒体と該リーダ／ライタとの間の通信の感度を上げる円筒形状の補助具であり、
該円筒形状の高さが５〜１６０ｍｍかつ、直径が８０〜１６０ｍｍであり、
さらに、該円筒形状の高さＸ（ｍｍ）及び直径Ｙ（ｍｍ）は、以下の式１及び式２、又は式３及び式４のいずれかを満足し、
また、該円筒形状の内側又は外側の少なくとも一方の面には、金属層が形成されている補助具であり、
該コンクリート体の表面に設置して使用することを特徴とする非接触通信媒体読取り補助具。
Ｙ≧−１．２５Ｘ＋１７８．７５（８０≦Ｘ＜１４３）・・・・（式１）
Ｙ≦−１．２５Ｘ＋２１８．７５（８０≦Ｘ＜１７５）・・・・（式２）
または
Ｙ≧−１．２５Ｘ＋２６８．７５（１００≦Ｘ≦１６５）・・・・・・（式３）
Ｙ≦−１．２５Ｘ＋３０８．７５（１００≦Ｘ≦１６５）・・・・・・（式４）
【発明の詳細な説明】
【技術分野】
【０００１】
本発明は、非接触通信媒体読取り補助具に関し、特に、非接触通信媒体のうち、２．４５ＧＨｚ帯の電波を通信手段として用いるものについて、コンクリートなど誘電率の高い材料の内部に埋設された非接触通信媒体を読み取る場合の通信感度を改善するための補助具に関する。
【背景技術】
【０００２】
コンクリート製品自体やコンクリートの打設に関わる製造工程上の履歴等の各種データを記録した非接触通信媒体をコンクリート体に埋め込み、必要に応じて、当該非接触通信媒体に記録された情報を読み取り、又は当該非接触通信媒体に情報を記録することで、コンクリート体の製品管理を行うことが提案されている。（特許文献１参照）
【０００３】
非接触通信媒体（ＲＦＩＤタグ）は、通常、物品やこれを格納した容器の表面に貼付され好適に利用される。用途としても、物流や在庫管理、入退出管理などが最も一般的である。
【０００４】
このような非接触通信媒体は、空気中での電波のやり取りを主に想定しているため、一般的に製品の表面に露出するように配置し、利用される。非接触通信媒体に記録された情報を読み取りや、当該非接触通信媒体に情報を記録する際には、リーダ／ライタと呼ばれる送受信機が利用される。リーダ／ライタから発する電波（直線偏波や円偏波）は、リーダ／ライタに備えられたアンテナ部から照射され、空気中を経由して非接触通信媒体に到達する。到達した電波により非接触通信媒体に起電力が生じ、回路を起動させ、次いで、チップに記録された情報を発信することにより、リーダ／ライタと情報の伝達を実現する。
【０００５】
リーダ／ライタと非接触通信媒体との間が空気層のみである場合には、リーダ／ライタから発せられた電波（直線偏波・円偏波）は、程度の大小はあれ、放射状に照射される。また、非接触通信媒体から戻って来る電波も同様に、放射状に照射される。
【０００６】
近年、各種トレーサビリティを実現するために、取り間違え、あるいは悪意を含むすり替えなどを防止する目的で、物品内部に非接触通信媒体を埋め込む方法が検討され始めている。特に、特許文献１のようにコンクリート体の内部に非接触通信媒体を埋め込むものもある。
【０００７】
非接触通信媒体を物質内に埋め込んだ場合には、空気層との間において誘電率の異なる界面ができることになる。電波の速度は、主に、通過する物質の誘電率によって変化するため、誘電率の異なる２層（ここでは、空気層と非接触通信媒体を埋め込んだ物質）を電波が通過する際に、電波の屈折が発生する。
【０００８】
空気の誘電率は約１であり、真空中に次ぎ、最も誘電率が低い。このため、非接触通信媒体から放射される電波は、物質と空気との界面において、界面の延長線上に向いて開いていく方向に屈折する。その結果、リーダ／ライタに届く電波強度が低下し、非接触通信媒体とリーダ／ライタとの通信距離が低下する一因になる。特に、コンクリート体のように高い誘電率を有する場合には、この問題は顕著なものとなる。
【先行技術文献】
【特許文献】
【０００９】
【特許文献１】特開２００８−１３７２８４号公報
【発明の概要】
【発明が解決しようとする課題】
【００１０】
本発明が解決しようとする課題は、上述したような問題を解決し、コンクリート体の内部に非接触通信媒体を配置した場合でも、非接触通信媒体とリーダ／ライタとの通信感度を向上することが可能な非接触通信媒体読取り補助具を提供することである。
【課題を解決するための手段】
【００１１】
上記課題を解決するため、請求項１に係る発明は、コンクリート体の内部に埋設された非接触通信媒体と、該非接触通信媒体に記録された情報を読み取るか又は該非接触通信媒体に情報を記録させるリーダ／ライタとの間に配置され、該非接触通信媒体と該リーダ／ライタとの間の通信の感度を上げる円筒形状の補助具であり、該コンクリート体の表面に設置して使用することを特徴とする非接触通信媒体読取り補助具である。
【００１２】
また、請求項１に係る発明は、該円筒形状の高Ｘさが５〜１６０ｍｍであり、直径Ｙが８０〜１６０ｍｍであることを特徴とする。
【００１３】
さらに、請求項１に係る発明は、該円筒形状の高さＸ（ｍｍ）及び直径Ｙ（ｍｍ）は、以下の式１及び式２、又は式３及び式４のいずれかを満足することを特徴とする。
Ｙ≧−１．２５Ｘ＋１７８．７５（８０≦Ｘ＜１４３）・・・・（式１）
Ｙ≦−１．２５Ｘ＋２１８．７５（８０≦Ｘ＜１７５）・・・・（式２）
または
Ｙ≧−１．２５Ｘ＋２６８．７５（１００≦Ｘ≦１６５）・・・・・・（式３）
Ｙ≦−１．２５Ｘ＋３０８．７５（１００≦Ｘ≦１６５）・・・・・・（式４）
【００１４】
また、請求項１に係る発明は、該円筒形状の内側又は外側の少なくとも一方の面には、金属層が形成されていることを特徴とする。なお、本発明における補助具は、全て金属材料で形成する場合を含むものである。
【発明の効果】
【００１５】
請求項１に係る発明により、コンクリート体の内部に埋設された非接触通信媒体と、該非接触通信媒体に記録された情報を読み取るか又は該非接触通信媒体に情報を記録させるリーダ／ライタとの間に配置され、該非接触通信媒体と該リーダ／ライタとの間の通信の感度を上げる円筒形状の補助具であり、該コンクリート体の表面に設置して使用することを特徴とする非接触通信媒体読取り補助具であるため、コンクリート体の表面（空気層との界面）に沿って逃げていく電波を、補助具により捕捉・はね返し、リーダ／ライタの方向へ効果的に導くことが可能となる。これにより、コンクリート体の内部に非接触通信媒体を配置した場合でも、非接触通信媒体とリーダ／ライタとの通信感度を向上することが可能となる。
【００１６】
請求項１に係る発明により、補助具の円筒形状の高さが５〜１６０ｍｍであり、直径が８０〜１６０ｍｍであるため、効果的に非接触通信媒体とリーダ／ライタとの通信感度を向上することが可能となる。
【００１７】
請求項１に係る発明により、補助具の円筒形状の高さＸ（ｍｍ）及び直径Ｙ（ｍｍ）は、上述した式１及び式２、又は式３及び式４のいずれかを満足するため、効果的に非接触通信媒体とリーダ／ライタとの通信感度を向上することが可能となる。
【００１８】
請求項１に係る発明により、補助具は、円筒形状の内側又は外側の少なくとも一方の面には、金属層が形成されているため、非接触通信媒体が放射する電波を効果的にリーダ／ライタに導くことが可能となる。
【図面の簡単な説明】
【００１９】
【図１】本発明の非接触通信媒体読取り補助具に関する使用方法又は試験方法を説明する図である。
【図２】本発明の非接触通信媒体読取り補助具を示す概略図である。
【図３】本発明の非接触通信媒体読取り補助具に関する試験方法を実施している様子を示す写真である。
【図４】本発明の非接触通信媒体読取り補助具に関する試験方法の結果を示すグラフである。
【発明を実施するための形態】
【００２０】
以下、本発明について好適例を用いて詳細に説明する。
本発明は、図１に示すように、コンクリート体の内部に埋設された非接触通信媒体と、該非接触通信媒体に記録された情報を読み取るか又は該非接触通信媒体に情報を記録させるリーダ／ライタとの間に配置され、該非接触通信媒体と該リーダ／ライタとの間の通信の感度を上げる円筒形状の補助具であり、該コンクリート体の表面に設置して使用することを特徴とする非接触通信媒体読取り補助具である。
【００２１】
具体的には、図２に示すように、非接触通信媒体読取り補助具は、円筒形状の内側又は外側の少なくとも一方の面には、アルミニウム又は鉄等の金属層を有している。例えば、塩化ビニル等の樹脂製の円筒形状の基体に、その内側にアルミニウム等の金属シートを張り付けている。当然、円筒形状の補助具全体を金属製のリング部材として形成することも可能である。
【００２２】
非接触通信媒体読取り補助具のサイズ（円筒形状の直径Ｙ及び高さＸ）について、好ましい態様を説明する。ただし、当該直径Ｙは、金属層が配置される部分における直径を意味し、円筒形状の基体の内面に金属シートを張り付ける場合には、当該直径Ｙは円筒形状の内径を意味する。
【００２３】
本発明の非接触通信媒体読取り補助具のサイズは、コンクリート体の内部のどの位の深さに非接触通信媒体が配置されているのか、又は、非接触通信媒体やリーダ／ライタの通信感度にも影響を受ける。本発明者が後述するような試験により、非接触通信媒体とリーダ／ライタとの通信感度が実用可能な程度にまで向上される範囲としては、円筒形状の高さＸが５〜１６０ｍｍであり、直径Ｙが８０〜１６０ｍｍとなる。
【００２４】
また、円筒形状の高さＸ（ｍｍ）及び直径Ｙ（ｍｍ）は、以下の式１及び式２、又は式３及び式４のいずれかを満足する範囲では、非接触通信媒体とリーダ／ライタとの通信感度が向上していることが確認されている。
Ｙ≧−１．２５Ｘ＋１７８．７５（８０≦Ｘ＜１４３）・・・・（式１）
Ｙ≦−１．２５Ｘ＋２１８．７５（８０≦Ｘ＜１７５）・・・・（式２）
または
Ｙ≧−１．２５Ｘ＋２６８．７５（１００≦Ｘ≦１６５）・・・・・・（式３）
Ｙ≦−１．２５Ｘ＋３０８．７５（１００≦Ｘ≦１６５）・・・・・・（式４）
【００２５】
通信感度を一層向上させることが可能な、より好ましい範囲としては、以下の式５及び式６、又は式７及び式８のいずれかを満足する範囲である。
Ｙ≧−１．２５Ｘ＋１８８．７５（１００≦Ｘ≦１４０）・・・・（式５）
Ｙ≦−１．２５Ｘ＋２０８．７５（１００≦Ｘ≦１４０）・・・・（式６）
Ｙ≧−１．２５Ｘ＋２７８．７５（１００≦Ｘ≦１４０）・・・・（式７）
Ｙ≦−１．２５Ｘ＋２９８．７５（１００≦Ｘ≦１４０）・・・・（式８）
【００２６】
非接触通信媒体の読み取りや書き込みに使用される２．４５ＧＨｚ帯の電波は、金属面等で反射する性質を有することから、上記条件を有する金属面を補助具として、リーダ／ライタと非接触通信媒体との間に設置することによって、界面の延長線上を開く（逃げていく）電波を捕捉・はね返し、有効にリーダ／ライタの方向へ飛ばすことができる。これにより、通信距離が改善され、すなわち非接触通信媒体の埋設深さを深く設定することができる。
【００２７】
本発明の非接触通信媒体読取り補助具の使用方法は、図１に示すように、非接触通信媒体を埋め込んだコンクリート体の表面に、本発明の補助具を配置し、その上にリーダ／ライタを配置する。この構成で、非接触通信媒体から発信された電波が、コンクリート体の表面（空気層との界面）に沿って逃げていくのを、本発明の補助具により捕捉・はね返し、リーダ／ライタの方向へ効果的に導くことが可能となる。これにより、コンクリート体の内部に非接触通信媒体を配置した場合でも、非接触通信媒体とリーダ／ライタとの通信感度を向上することが可能となる。
【００２８】
また、本発明の補助具は、非接触通信媒体に記録された情報の読み取りだけでなく、リーダ／ライタが発生する電波を効率良く非接触通信媒体の方へ伝搬させることにも寄与し、非接触通信媒体への情報を記録させる場合にも、効果を発揮する。
【００２９】
次に、本発明の非接触通信媒体読取り補助具について、その効果を確認するための試験方法及びその結果を説明する。
図１に示すように、直方体のコンクリート製のブロックを用意した。当該ブロックのサイズは、リーダ／ライタが配置される面（計測面）を２５０×２５０ｍｍの寸法に設定する。
【００３０】
コンクリート製ブロックの内部には、Φ１３ｍｍの異形鉄筋を配置し、該鉄筋の一部にスペーサを配置し、さらに、スペーサ上にリーダ／ライタ方向に読み取り可能な面を向けて、非接触通信媒体（日立製作所製。ミューチップ）を固定配置した。
【００３１】
スペーサは、モルタル製で厚み８ｍｍ、１１ｍｍ、２１ｍｍの３水準を準備した。また、リーダ／ライタには、「日立製作所製,アンテナ一体据え置き型  高出力タイプ  ＳＨ０７」を使用した。
【００３２】
コンクリート製ブロックの計測面から鉄筋までの距離（埋め込み深さ）は、９０ｍｍ，１０４ｍｍ，１１３ｍｍ，１２７ｍｍを準備した。
【００３３】
補助具には、円筒形状をした塩化ビニルのプラスチック製部材を用意し、円筒の内面にアルミテープを張り付けた補助具を準備した。円筒形状のサイズとしては、直径（内径）Ｙについては、８３，１０８，１３１，１５５，１８０ｍｍの５水準と、高さＸについては、５，１０，２０，３０，４０，５０，６０，７０，８０，９０，１００，１１０，１２０，１３０，１４０，１５０，１６０ｍｍの１７水準を準備した。
【００３４】
図３は、試験を実施している様子であり、以下の表１〜５はその試験結果を示す。また、図４は、表５の結果をさらにグラフで表現したものである。なお、通信感度の評価は、リーダ／ライタが非接触通信媒体の情報を読み取れる状況を、極めて良好（◎）、良好（○）、不安定（△）、不可（×）の４段階で評価した。そして、表５では、表１〜４の４つの試験で評価が全て「○」以上であったものを「●」で表示し、４つの試験で評価が全て「△」以上であったものを「▲」で表示した。
【００３５】
さらに、表１〜４では、以下のような図１に示す読取距離ｄに設定している。
・表１：ｄ＝６９ｍｍ（鉄筋位置９０ｍｍ，スペーサ２１ｍｍ）
・表２：ｄ＝８３ｍｍ（鉄筋位置１０４ｍｍ，スペーサ２１ｍｍ）
・表３：ｄ＝１０５ｍｍ（鉄筋位置１１３ｍｍ，スペーサ８ｍｍ）
・表４：ｄ＝１１６ｍｍ（鉄筋位置１２７ｍｍ，スペーサ１１ｍｍ）
【００３６】
【表１】
0005585210.tif 000002
【００３７】
【表２】
0005585210.tif 000003
【００３８】
【表３】
0005585210.tif 000004
【００３９】
【表４】
0005585210.tif 000005
【００４０】
【表５】
0005585210.tif 000006
【００４１】
上記表５及び図４のグラフより、補助具の好適な範囲としては、円筒形状の高さＸが５〜１６０ｍｍであり、直径Ｙが８０〜１６０ｍｍとなることが容易に理解される。また、高さＸと直径Ｙの好適な範囲は、上述の式１〜８に示した帯状の領域（例えば、式１と式２を満足する範囲）に存在することも容易に理解される。
【産業上の利用可能性】
【００４２】
以上説明したように、本発明によれば、コンクリート体の内部に非接触通信媒体を配置した場合でも、非接触通信媒体とリーダ／ライタとの通信感度を向上することが可能な非接触通信媒体読取り補助具を提供することが可能となる。
【図１】
0005585210.tif 000007
【図２】
0005585210.tif 000008
【図３】
0005585210.tif 000009
【図４】
0005585210.tif 000010